(57)【要約】【課題】廃棄するゴミの分別情報を、ゴミを廃棄しようとしている自治体における分別情報に応じて簡単に特定し、かつそれを回収する容器まで指定することにより、分別作業の負荷軽減と分別精度の向上を提供する方法を実現すること。【解決手段】端末は、自治体を特定する情報をサーバに送信することにより、サーバに存在する自治体情報の一覧と自治体別ゴミ分別情報の一覧と回収協力店情報の一覧から該当する自治体の自治体ゴミ分別情報を取得し、取得した自治体ゴミ分別情報と廃棄しようとしている商品の商品分別情報を照合することによりゴミの分別方法を簡単に特定し、さらに、端末に保持してある回収容器ゴミ分別情報の一覧から該当するゴミを回収する容器を特定し、加えて、廃棄しようとしている商品が回収協力店において回収されている場合は回収協力店の情報も提示することにより、分別作業の負荷軽減と分別精度の向上を実現する。【選択図】図１
2005173961.tif 000002
【特許請求の範囲】
【請求項１】
自治体のゴミの分別情報を提供するサーバにおいて、
ゴミの分別を実施している自治体の情報とゴミの分別により受けられるサービスの情報であるサービス情報とを含む自治体情報を保持する自治体情報一覧保持手段と、
前記自治体が指定しているゴミの分別方法の情報である自治体指定分別情報を保持する自治体指定分別情報一覧保持手段と、
前記自治体がゴミの回収協力を依頼している回収協力店の情報である回収協力店情報を保持する回収協力店情報一覧保持手段と、
ネットワークを介して通信を行うサーバ通信手段と、
自治体を特定する自治体特定情報と前記自治体情報とを照合して前記自治体特定情報に対応する自治体情報を抽出する自治体情報抽出手段と、
前記自治体情報抽出手段で抽出した自治体情報を保持する自治体情報保持手段と、
前記自治体情報と前記自治体指定分別情報とを照合して、前記自治体情報に対応する自治体指定分別情報を抽出する自治体指定分別情報抽出手段と、
前記自治体指定分別情報抽出手段で抽出した自治体指定分別情報を保持する自治体指定分別情報保持手段と、
前記自治体指定分別情報と回収協力店情報とを照合して前記自治体指定分別情報に含まれる前記回収協力店に対応する回収協力店情報を抽出する回収協力店情報抽出手段と、
前記自治体情報と前記自治体指定分別情報と前記回収協力店情報とから前記自治体におけるゴミの分別情報である自治体ゴミ分別情報を作成する自治体ゴミ分別情報作成手段を備えたことを特徴とするサーバ。
【請求項２】
ゴミの分別の情報を提供する端末において、
自治体を特定する自治体特定情報を入力する端末入力手段と、
前記自治体特定情報を保持する自治体特定情報保持手段と、
前記自治体におけるゴミの分別情報である自治体ゴミ分別情報を保持する自治体ゴミ分別情報保持手段と、
廃棄する商品の分別に関する情報である商品分別情報を読み取る商品分別情報読み取り手段と、
前記商品分別情報を保持する商品分別情報保持手段と、
回収容器を識別する情報である回収容器識別情報と前記自治体ゴミ分別情報とを結びつけて回収容器ゴミ分別情報として保持する回収容器ゴミ分別情報一覧保持手段と、
ネットワークを介して前記回収容器識別情報の受信と、前記回収容器ゴミ分別情報の送信とを行う端末通信手段と、
前記端末通信手段で受信した前記回収容器識別情報を前記回収容器ゴミ分別情報の一覧に追記する回収容器識別情報追記手段と、
前記回収容器ゴミ分別情報一覧保持手段に保持する回収容器に入れるゴミの情報を前記自治体ゴミ分別情報から選択し前記回収容器ゴミ分別情報の一覧に登録する自治体ゴミ分別情報登録手段と、
前記自治体ゴミ分別情報と前記商品分別情報と前記回収容器ゴミ分別情報とから廃棄する商品の分別情報である廃棄商品分別情報を特定する廃棄商品分別情報特定手段と、
前記廃棄商品分別情報を出力する端末出力手段を備えたことを特徴とする端末。
【請求項３】
廃棄する商品を入れておく回収容器において、
回収容器を識別する情報である回収容器識別情報を保持する回収容器識別情報保持手段と、
ネットワークを介して前記回収容器識別情報の送信と、前記回収容器識別情報と自治体におけるゴミの分別情報である自治体ゴミ分別情報とを結びつけた情報である回収容器ゴミ分別情報の受信とを行う回収容器通信手段と、
前記回収容器ゴミ分別情報を保持する回収容器ゴミ分別情報保持手段と、
回収容器に入っているゴミの重量を検知するための重量センサーと、
前記重量センサーで回収容器のゴミの重量を検知するゴミ重量検知手段と、
前記ゴミ重量検知手段で検知したゴミの重量と前記回収容器ゴミ分別情報とから分別廃棄した量をポイント化して分別ポイントとして算出する分別ポイント算出手段を備えたことを特徴とする回収容器。
【請求項４】
前記端末通信手段は、更にサーバに前記自治体特定情報の送信と、サーバからの前記自治体特定情報に対応する前記自治体ゴミ分別情報の受信とを行うことを特徴とする請求項２に記載の端末。
【請求項５】
前記端末通信手段における前記自治体特定情報の送信は、前記商品分別情報読み取り手段によって前記商品分別情報を読み取った際、または前記端末通信手段によって前記回収容器から前記回収容器識別情報を受信した際、または定期的に、あるいはそれらの組み合わせによって行われることを特徴とする請求項４に記載の端末。
【請求項６】
前記端末入力手段は、更に前記回収容器の名称を入力することを特徴とする請求項２、請求項４、または請求項５に記載の端末。
【請求項７】
前記端末は、更に前記端末入力手段で入力した前記回収容器の名称を前記回収容器ゴミ分別情報の一覧に登録する回収容器名称登録手段を備えたことを特徴とする請求項６に記載の端末。
【請求項８】
前記端末出力手段は、更に前記自治体がゴミの回収協力を依頼している回収協力店の地図情報を表示することを特徴とする請求項２、または請求項４から請求項７のいずれか１項に記載の端末。
【請求項９】
前記端末通信手段は、更に前記自治体ゴミ分別情報登録手段で前記回収容器に入れておくゴミの情報を登録する際に、前記回収容器に前記回収容器のゴミの重量を確認するゴミ重量確認情報の送信と、前記ゴミ重量確認情報に対する結果である前記回収容器のゴミの重量の受信を行うことを特徴とする請求項２、または請求項４から請求項８のいずれか１項に記載の端末。
【請求項１０】
前記端末通信手段は、更に前記回収容器から前記回収容器が分別廃棄した量をポイント化した情報である分別ポイントの受信を行い、更に前記端末は、前記端末通信手段で受信した前記分別ポイントを前記回収容器ゴミ分別情報の一覧に追記する分別ポイント追記手段と、前記回収容器ゴミ分別情報一覧保持手段に保持した前記分別ポイントを抽出し前記分別ポイントの合計値を算出する分別ポイント合計値算出手段と、前記自治体ゴミ分別情報保持手段から前記サービス情報を抽出するサービス情報抽出手段を備え、更に前記端末出力手段は、前記分別ポイント合計値算出手段で算出した前記分別ポイントの合計値を前記サービス情報抽出手段で抽出した前記サービス情報とともに出力することを特徴とする請求項２、または請求項４から請求項９のいずれか１項に記載の端末。
【請求項１１】
前記端末通信手段における前記回収容器ゴミ分別情報の送信は、前記回収容器ゴミ分別情報の一覧が更新された際に行うことを特徴とする請求項２、または請求項４から請求項１０のいずれか１項に記載の端末。
【請求項１２】
前記端末は、更に回収容器抽出手段を備え、前記回収容器ゴミ分別情報一覧保持手段で保持した前記回収容器に入れているゴミのゴミ回収日に前記回収容器を抽出し、更に前記端末出力手段は、前記回収容器抽出手段で抽出した前記回収容器の名称または前記回収容器情報のいずれかを出力することを特徴とする請求項２、または請求項４から請求項１１のいずれか１項に記載の端末。
【請求項１３】
前記商品分別情報読み取り手段は、前記商品分別情報を保持するタグから読み取ることを特徴とする請求項２、または請求項４から請求項１２のいずれか１項に記載の端末。
【請求項１４】
前記回収容器は、更に前記分別ポイント算出手段で算出した前記分別ポイントを出力する回収容器出力手段を備えたことを特徴とする請求項３に回収容器。
【請求項１５】
前記回収容器通信手段は、更に前記回収容器のゴミの重量を確認するゴミ重量確認情報の受信と、前記ゴミ重量検知手段で検知したゴミの重量の情報の送信を行うことを特徴とする請求項３または請求項１４に記載の回収容器。
【請求項１６】
前記回収容器通信手段は、更に前記分別ポイント算出手段で算出した前記分別ポイントを送信することを特徴とする請求項３、請求項１４、または請求項１５に記載の回収容器。
【請求項１７】
前記重量センサーによるゴミの重量の検知は、前記ゴミ重量確認情報を受信した際に行われることを特徴とする請求項１５に記載の回収容器。
【請求項１８】
前記重量センサーによるゴミの重量の検知は、前記回収容器ゴミ分別情報を受信した際に、または定期的に、あるいはそれらの組み合わせによって行われることを特徴とする、請求項３、または請求項１４から請求項１７のいずれか１項に記載の回収容器。
【請求項１９】
ゴミの分別を実施している自治体の情報と、前記自治体が指定しているゴミの分別方法の情報である自治体指定分別情報とを保持し、自治体のゴミの分別情報である自治体ゴミ分別情報を提供するサーバと、
回収容器の識別情報である回収容器識別情報を持つ回収容器と、
自治体を特定する情報である自治体特定情報と廃棄物を回収する前記回収容器の情報とを保持し、廃棄する商品の分別に関する情報である商品分別情報を読み取ってゴミの分別の支援情報を提供する端末とを備え、
前記端末は、前記サーバに前記自治体特定情報を送信することにより前記サーバから前記自治体特定情報に対応する自治体ゴミ分別情報を受け取り、前記回収容器から前記回収容器識別情報を受け取り、廃棄する商品に付与されている商品分別情報を読み取り、前記自治体ゴミ分別情報と前記商品分別情報と前記回収容器の情報と前記回収容器識別情報とから商品の分別方法と前記廃棄する商品を回収する回収容器を特定することを特徴とするゴミ分別支援システム。
【請求項２０】
コンピュータに、
ゴミの分別を実施している自治体の情報とゴミの分別を行うことにより受けられるサービスの情報であるサービス情報とを含む自治体情報を保持する自治体情報一覧保持手段と、前記自治体が指定しているゴミの分別方法の情報である自治体指定分別情報を保持する自治体指定分別情報一覧保持手段と、前記自治体がゴミの回収協力を依頼している回収協力店の情報である回収協力店情報を保持する回収協力店情報一覧保持手段と、
ネットワークを介して通信を行うサーバ通信手段と
自治体を特定する自治体特定情報と前記自治体情報とを照合して前記自治体特定情報に対応する自治体情報を抽出する自治体情報抽出手段と、前記自治体情報抽出手段で抽出した自治体情報を保持する自治体情報保持手段と、
前記自治体情報と前記自治体指定分別情報とを照合して、前記自治体情報に対応する自治体指定分別情報を抽出する自治体指定分別情報抽出手段と、
前記自治体指定分別情報抽出手段で抽出した自治体指定分別情報を保持する自治体指定分別情報保持手段と、
前記自治体指定分別情報と回収協力店情報とを照合して前記自治体指定分別情報に含まれる前記回収協力店に対応する回収協力店情報を抽出する回収協力店情報抽出手段と、
前記自治体情報と前記自治体指定分別情報と前記回収協力店情報とから前記自治体におけるゴミの分別情報である自治体ゴミ分別情報を作成する自治体ゴミ分別情報作成手段を機能させるためのプログラム。
【請求項２１】
コンピュータに、
自治体を特定する自治体特定情報を入力する端末入力手段と、
前記自治体特定情報を保持する自治体特定情報保持手段と、
前記自治体におけるゴミの分別情報である自治体ゴミ分別情報を保持する自治体ゴミ分別情報保持手段と、
廃棄する商品の分別に関する情報である商品分別情報を読み取る商品分別情報読み取り手段と、
前記商品分別情報を保持する商品分別情報保持手段と、
回収容器を識別する情報である回収容器識別情報と前記自治体ゴミ分別情報とを結びつけて回収容器ゴミ分別情報として保持する回収容器ゴミ分別情報一覧保持手段と、
ネットワークを介して前記回収容器識別情報の受信と、前記回収容器ゴミ分別情報の送信とを行う端末通信手段と、
前記端末通信手段で受信した前記回収容器識別情報を前記回収容器ゴミ分別情報の一覧に追記する回収容器識別情報追記手段と、
前記回収容器ゴミ分別情報一覧保持手段に保持されている回収容器に入れておくゴミの情報を前記自治体ゴミ分別情報から選択し前記回収容器ゴミ分別情報の一覧に登録する自治体ゴミ分別情報登録手段と、
前記自治体ゴミ分別情報と前記商品分別情報と前記回収容器ゴミ分別情報とから廃棄する商品の分別情報である廃棄商品分別情報を特定する廃棄商品分別情報特定手段と、前記廃棄商品分別情報を出力する端末出力手段を機能させるためのプログラム。
【請求項２２】
コンピュータに、
回収容器を識別する情報である回収容器識別情報を保持する回収容器識別情報保持手段と、
ネットワークを介して前記回収容器識別情報の送信と、前記回収容器識別情報と自治体におけるゴミの分別情報である自治体ゴミ分別情報とを結びつけた情報である回収容器ゴミ分別情報の受信とを行う回収容器通信手段と、
前記回収容器ゴミ分別情報を保持する回収容器ゴミ分別情報保持手段と、
回収容器に入っているゴミの重量を検知するための重量センサーと、
前記重量センサーで回収容器のゴミの重量を検知するゴミ重量検知手段と、
前記ゴミ重量検知手段で検知したゴミの重量と前記回収容器ゴミ分別情報とから分別廃棄した量をポイント化して分別ポイントとして算出する分別ポイント算出手段を機能させるためのプログラム。
【発明の詳細な説明】
【技術分野】
【０００１】
本発明は、サーバが保持する自治体ごとに異なるゴミの分別情報と、端末が読み取った商品分別情報からゴミの分別情報を特定し、そのゴミを回収するゴミ回収容器を指定するゴミ分別支援システムに関する。
【背景技術】
【０００２】
従来、ゴミは各自治体等において分別して回収作業が行われている。このため、ゴミを廃棄する際には、各自治体等が提示している分別の方法に従ってゴミを分別し、ゴミ箱へ投入する、あるいは指定されたゴミの回収日に出すこととなっている。しかしながら、ゴミの回収方法は、燃えるゴミ、燃えないゴミ、資源ごみ、リサイクルゴミなどのその呼び方は一定ではなく自治体毎にさまざまであり、また、商品に関しても、材質に関する情報が記載されていない場合や、複数の材質から構成されていて分別方法の判断が困難なものも多い。各自治体が回覧などで分別の方法を提示してはいるものの、分別作業の負荷の増加や分別精度の低下を招くという問題があった。さらに、家庭には複数のゴミ回収場所が設けられているのが一般的であり、分別方法がわかったとしてもどのゴミ回収場所に入れればよいかわからず、正確な分別が行われないこともある。また、各家庭においてそれぞれの回収場所ごとに回収するゴミの種類を把握しているのは、その家庭で主に家事に従事している人物に限られ、その人物以外はどこに捨ててよいかわからないことも多く、確認の手間の発生など、分別作業の負荷の増加や分別精度の低下を招くという問題があった。各自治体等が提示した分別方法を明確に提供する方法としては、あらかじめ各自治体で定められた分別情報を商品に付与しておくなどの方法がある（例えば、特許文献１参照）。また、各自治体等が提示した分別方法に従ってゴミを分別しゴミ廃棄場所を指定する方法としては、複数の回収場所を設けたゴミ回収容器を用いて分別方法を特定しそのゴミ回収容器内に設置された廃棄場所を指定するなどの方法がある（例えば、特許文献２参照）。
【特許文献１】特開２００２−１５３８５５号公報
【特許文献２】特開２００３−２６７５０９号公報
【発明の開示】
【発明が解決しようとする課題】
【０００３】
しかしながら、前記特許文献１に記載の従来の方法では、商品に記載されている方法で分別ができない自治体で廃棄する場合にはその分別方法を利用することができず、さらに、廃棄物を回収する際に間違う危険性があるなど、分別作業の負荷の低減と精度の向上をもたらしにくいという課題を有していた。また、前記特許文献２に記載の従来の方法は、各自治体が実施している分別方法に従い、ゴミを回収する場所を示すものであるが、商品情報を蓄積しているサーバから商品の分別に関する情報を入手してゴミを回収する容器で分別方法を特定し、分別方法を特定したゴミ回収容器内部の回収場所のみを指定するものである。
【０００４】
本発明は、前記従来の課題を解決するもので、商品を購入した地域が居住している地域とは異なるような場合であっても、ゴミの分別方法を特定し提供するシステムに関するもので、分別作業の負荷の低減と精度を向上させることを目的とする。
【課題を解決するための手段】
【０００５】
前記従来の課題を解決するために、本発明におけるゴミ分別支援システムは、自治体におけるゴミの分別方法と、商品に付与された分別情報を端末で照合することにより、ゴミの分別方法を特定し、収納するゴミ回収容器を指定することにより分別を支援しようとする。
【発明の効果】
【０００６】
本発明のゴミ分別支援システムによれば、自治体におけるゴミの分別方法を簡単に入手することができ、端末においてゴミの情報と照合することにより収納すべきゴミの回収容器が特定されるため、容易に分別作業を行うことができ、かつ、その精度も格段に向上する。また、同時にゴミの回収日も提供するため、家庭等で分別作業を行う際も計画的に行うことができ、また、急な回収日の変更等にも容易に対応することができ、また、回収日にあたるゴミの回収容器の情報が表示されるため、回収も容易に行うことができる。さらに、ゴミ回収容器に回収するゴミの種類を変更する際にも、容器の中にゴミが残っている時にはその旨を出力するため、分別の種類が異なるゴミが混在するという危険を防ぐことも可能である。加えて、分別した量を指定した計算方法でポイント化する手段を備えており、分別に応じてサービスを提供することにより、分別の向上を図ることも可能である。
【発明を実施するための最良の形態】
【０００７】
以下本発明の実施の形態について、図面を参照しながら説明する。
【０００８】
（実施の形態１）
図１は本発明によるゴミ分別を支援するシステムを示す構成図である。図１において、本実施の形態は、サーバ１、ネットワーク２、端末３、ネットワーク４、回収容器５とを含んで構成されている。
【０００９】
サーバ１は、自治体情報一覧保持手段１０１と、自治体指定分別情報一覧保持手段１０２と、回収協力店情報一覧保持手段１０３と、サーバ通信手段１０４と、自治体情報抽出手段１０５と、自治体情報保持手段１０６と、自治体指定分別情報抽出手段１０７と、自治体指定分別情報保持手段１０８と、回収協力店情報抽出手段１０９と自治体ゴミ分別情報作成手段１１０とを具備する。
【００１０】
端末３は、端末入力手段３０１と、自治体特定情報保持手段３０２と、自治体ゴミ分別情報保持手段３０３と、商品分別情報読み取り手段３０４と、商品分別情報保持手段３０５と、回収容器ゴミ分別情報一覧保持手段３０６と、端末通信手段３０７と、回収容器識別情報追記手段３０８と、回収容器名称登録手段３０９と、自治体ゴミ分別情報登録手段３１０と、廃棄商品分別情報特定手段３１１と、端末出力手段３１２と、回収容器抽出手段３１３とを具備する。
【００１１】
回収容器５は、回収容器識別情報保持手段５０１と、回収容器通信手段５０２と、回収容器ゴミ分別情報保持手段５０３と、重量センサー５０４と、ゴミ重量検知手段５０５とを具備する。
【００１２】
ゴミ６は、ゴミとして廃棄する商品等であり、購入時などに予め商品の分別に関する情報が記述されているタグ６０１を具備する。
【００１３】
自治体情報一覧保持手段１０１は、ゴミの分別を実施している各自治体の名称と、自治体内の各地域ごとに割り当てられている郵便番号と自治体内の各世帯に割り当てられている電話番号等のゴミの分別を実施している自治体の情報と、ゴミの分別を行って得られるポイントを貯めていくことにより受けられる、例えば１００ポイントでゴミ袋進呈といった、各自治体独自のサービスの情報とを含む自治体情報が保持されている。自治体指定分別情報一覧保持手段１０２は、自治体が指定しているゴミの分別方法の情報である自治体指定分別情報を保持する。自治体指定分別情報は、燃えるゴミや燃えないゴミ等の各自治体が実施しているゴミ分別名称と、各ゴミ分別名称で廃棄できるゴミを特定する情報として、アルミ、紙などの材質に関する情報、形状に関する情報、大きさに関する情報と、各ゴミ分別名称の回収が実施される次回の分の年月日、及び曜日の情報と、各ゴミ分別名称の回収を依頼している店の情報と、ゴミ分別名称ごとに、１キログラムで１ポイントといった、ポイントを得るのに必要なゴミの量の情報などが保持されている。
【００１４】
回収協力店情報一覧保持手段１０３は、各自治体がゴミの回収の協力を依頼している店（業者）等の名称、所在地、店周辺の地図などの回収協力店情報が保持されている。サーバ通信手段１０４は、端末３から送られてくる図３を一例とする自治体を特定する情報（自治体特定情報）として、自治体の名称、あるいは端末３を使用する地域の郵便番号または電話番号、あるいはそれらの組み合わせの情報の受信と、自治体ゴミ分別情報作成手段１１０で作成する自治体ゴミ分別情報の端末３への送信を行う。自治体情報抽出手段１０５は、自治体情報一覧保持手段１０１が保持する自治体情報の中から、サーバ通信手段１０４で受信した自治体を特定する情報と一致する自治体情報を抽出する。自治体情報保持手段１０６は、自治体情報抽出手段１０５で抽出した自治体情報を保持する。自治体指定分別情報抽出手段１０７は、自治体指定分別情報一覧保持手段１０２が保持する自治体指定分別情報の中から、自治体情報保持手段１０６で保持した自治体情報と一致する自治体の自治体指定分別情報を抽出する。自治体指定分別情報保持手段１０８は、自治体指定分別情報抽出手段１０７で抽出した自治体指定分別情報を保持する。回収協力店情報抽出手段１０９は、回収協力店情報一覧保持手段１０３が保持する回収協力店情報の中から、自治体指定分別情報保持手段１０８で保持した自治体指定分別情報にある回収協力店と一致する回収協力店情報を抽出する。自治体ゴミ分別情報作成手段１１０は、回収協力店情報抽出手段１０９で抽出した回収協力店情報と、自治体情報保持手段１０６で保持した自治体情報と自治体指定分別情報保持手段１０８で保持した自治体指定分別情報とを統合して自治体のゴミの分別に関する自治体ゴミ分別情報を作成する。
【００１５】
端末３が自治体特定情報を保持するフローチャートを図２に示す。端末入力手段３０１は、自治体を特定する自治体の名称、または郵便番号、または電話番号のいずれか、あるいはそれらを組み合わせて入力する（Ｓ１０００）。自治体特定情報保持手段３０２は、端末入力手段３０１で入力した自治体特定情報を保持する（Ｓ１００１）。尚、自治体特定情報は端末入力手段３０１より入力するとしたが、自治体特定情報保持手段３０２に予め保持していても良い。また自治体は市町村に限らずゴミの分別方法が異なる一定のエリアであればよい。自治体ゴミ分別情報保持手段３０３は、自治体ゴミ分別情報を保持する。商品分別情報読み取り手段３０４は、ゴミとして廃棄する商品にあらかじめ取り付けられているタグ６０１の商品分別情報を読み取る。タグ６０１には、商品分別情報として、少なくとも分別の際に必要な、アルミ、紙などの材質に関する情報、形状に関する情報、大きさに関する情報が含まれている。なお、タグ６０１は、分別に必要な情報を格納するものであればよく、バーコード、ＩＣタグ、ＲＦＩＤタグなどであっても良い。商品分別情報保持手段３０５は、商品分別情報読み取り手段３０４で読み取った商品分別情報を保持する。回収容器ゴミ分別情報一覧保持手段３０６は、回収容器５を一意に識別する回収容器識別情報とその回収容器５に入れておくゴミの分別の情報とを結びつけて回収容器ゴミ分別情報として保持する。
【００１６】
端末通信手段３０７は、回収容器５から送られてくる回収容器識別情報の受信と、回収容器ゴミ分別情報一覧保持手段３０６で保持されている回収容器ゴミ分別情報の回収容器５への送信と、自治体特定情報保持手段３０２で保持されている自治体特定情報のサーバ１への送信と、サーバ１から送られてきた自治体ゴミ分別情報の受信を行う。回収容器識別情報追記手段３０８は、端末通信手段３０７で受信した回収容器識別情報を回収容器ゴミ分別情報一覧保持手段３０６に追記する。回収容器名称登録手段３０９は、端末入力手段３０１で入力された回収容器５の名称を回収容器ゴミ分別情報一覧保持手段３０６に登録する。自治体ゴミ分別情報登録手段３１０は、回収容器５に入れておくゴミの分別の情報を自治体ゴミ分別情報保持手段３０３から選択し、回収容器ゴミ分別情報一覧保持手段３０６に登録する。
【００１７】
廃棄商品分別情報特定手段３１１は、自治体ゴミ分別情報保持手段３０３で保持している自治体ゴミ分別情報と、商品分別情報保持手段３０５で保持している商品分別情報を照合し、商品分別情報保持手段３０５で保持している商品分別情報を持つ廃棄商品の分別方法（廃棄商品分別情報）を抽出し、さらに回収容器ゴミ分別情報一覧保持手段３０６と抽出した廃棄商品の分別方法とを照合し、廃棄商品を入れておく回収容器５を特定する。廃棄商品分別情報は、分別名称、次回の回収日の情報、回収協力店の情報、回収容器の情報などの廃棄する商品の分別を支援する情報である。端末出力手段３１２は、廃棄商品分別情報特定手段３１１で特定した廃棄商品分別情報と、回収容器抽出手段３１３で抽出した回収容器５の情報を出力する。回収容器抽出手段３１３は、ゴミの回収日に回収容器ゴミ分別情報一覧保持手段３０６から回収容器５を抽出する。
【００１８】
回収容器識別情報保持手段５０１は、回収容器５を識別する回収容器識別情報を保持する。回収容器通信手段５０２は、回収容器識別情報保持手段５０１で保持した回収容器識別情報の端末３への送信と、端末３から送られてくる回収容器ゴミ分別情報の受信を行う。
【００１９】
回収容器ゴミ分別情報保持手段５０３は、回収容器通信手段５０２で受信した回収容器ゴミ分別情報を保持する。重量センサー５０４は、回収容器５のゴミの重量を検知するセンサーである。ゴミ重量検知手段５０５は、重量センサー５０４で回収容器５に入っているゴミの重量を検知する。
【００２０】
端末３が、サーバ１に自治体特定情報を送信するまでのフローチャートを図４に示す。
【００２１】
端末通信手段３０７は、自治体特定情報を送信するためのフレームを生成し（Ｓ２０００）、サーバ１へ送信する（Ｓ２００１）。なお、この自治体特定情報の送信は、商品分別情報読み取り手段３０４で商品分別情報を読み取った場合や、端末入力手段３０１で自治体特定情報が入力された場合、または毎日午前６：００など定期的に実行される場合、あるいは自治体ゴミ分別情報が更新された場合もある。
【００２２】
サーバ１が、端末３から自治体特定情報を受信し、抽出した自治体情報を保持するまでのフローチャートを図５に示す。
【００２３】
サーバ通信手段１０４は、端末３から送られてくる自治体特定情報を受信し（Ｓ３０００）、自治体情報抽出手段１０５へ渡す（Ｓ３００１）。自治体情報抽出手段１０５は、自治体特定情報に含まれる自治体名称または郵便番号または電話番号、あるいはそれらの組み合わせの情報から、自治体情報一覧保持手段１０１で保持している自治体情報の一覧から検索することにより、自治体情報を抽出する（Ｓ３００２）。自治体情報一覧保持手段１０１で保持している自治体情報の一覧の内容例を図６に示す。ここで、自治体情報の検索の成否により処理が分岐する（Ｓ３００３）。自治体情報の抽出に成功した場合は、抽出した自治体情報が自治体情報保持手段１０６へ渡され、上書き更新される（Ｓ３００４）。失敗した場合には、失敗であった旨を通知する送信フレームを生成し（Ｓ３００５）、サーバ通信手段１０４により端末３へ送信する（Ｓ３００６）。
【００２４】
サーバ１が、自治体情報から自治体指定分別情報を抽出し保持するまでのフローチャートを図７に示す。
【００２５】
自治体指定分別情報抽出手段１０７は、自治体情報保持手段１０６が保持する自治体情報を取得し（Ｓ４０００）、取得した自治体情報に対応する自治体指定分別情報を自治体指定分別情報一覧保持手段１０２で保持している自治体指定分別情報の一覧から検索することにより抽出する（Ｓ４００１）。自治体毎の自治体指定分別情報の一覧の内容例を図８に示す。ここで、自治体指定分別情報を検索の成否により処理が分岐する（Ｓ４００２）。自治体指定分別情報の抽出に成功した場合は、抽出した自治体指定分別情報が自治体指定分別情報保持手段１０８へ渡され、上書き更新される（Ｓ４００３）。失敗した場合には、失敗であった旨を通知する送信フレームを生成し（Ｓ４００４）、サーバ通信手段１０４により端末３へ送信する（Ｓ４００５）。
【００２６】
サーバ１が、自治体指定分別情報から回収協力店情報を抽出し自治体ゴミ分別情報作成手段１１０に渡すまでのフローチャートを図９に示す。
【００２７】
回収協力店情報抽出手段１０９は、自治体指定分別情報保持手段１０８が保持する自治体指定分別情報を取得する（Ｓ５０００）。ここで、取得した自治体指定分別情報に回収協力店情報が含まれているか否かで処理が分岐する（Ｓ５００１）。回収協力店情報が含まれていない場合は、その旨が自治体ゴミ分別情報作成手段１１０へ渡される（Ｓ５００２）。含まれていた場合には、回収協力店情報一覧保持手段１０３で保持している回収協力店情報の一覧から検索することにより、回収協力店情報を抽出する（Ｓ５００３）。回収協力店情報の一覧の内容例を図１０に示す。ここで、回収協力店情報の検索の成否により処理が分岐する（Ｓ５００４）。回収協力店情報の抽出に成功した場合は、抽出した回収協力店情報が自治体ゴミ分別情報作成手段１１０へ渡される（Ｓ５００５）。失敗した場合には、失敗であった旨を通知する送信フレームを生成し（Ｓ５００６）、サーバ通信手段１０４により端末３へ送信する（Ｓ５００７）。
【００２８】
サーバ１が、自治体ゴミ分別情報を作成し、端末３に送信するまでのフローチャートを図１１に示す。
【００２９】
自治体ゴミ分別情報作成手段１１０は、回収協力店情報抽出手段１０９からの回収協力店情報を受け取り（Ｓ６０００）、自治体情報保持手段１０６が保持した自治体情報を取得し（Ｓ６００１）、自治体指定分別情報保持手段１０８が保持した自治体指定分別情報を取得する（Ｓ６００２）。自治体ゴミ分別情報作成手段１１０は、取得した自治体情報と自治体指定分別情報と回収協力店情報とから自治体ゴミ分別情報を作成し（Ｓ６００３）、サーバ通信手段１０４へ渡す（Ｓ６００４）。サーバ通信手段１０４は自治体ゴミ分別情報を含む送信フレームを生成し（Ｓ６００５）、端末３へ送信する（Ｓ６００６）。
【００３０】
端末３が、サーバ１からの自治体ゴミ分別情報を受信し、保持するまでのフローチャートを図１２に示す。
【００３１】
端末通信手段３０７は、サーバ１から送られてきた自治体ゴミ分別情報を受信する（Ｓ７０００）。自治体ゴミ分別情報の内容例を図１３に示す。ここで、自治体ゴミ分別情報の内容により処理が分岐する（Ｓ７００１）。サーバ１において自治体ゴミ分別情報の作成に成功していた場合は、受信した自治体ゴミ分別情報が自治体ゴミ分別情報保持手段３０３へ渡され自治体ゴミ分別情報保持手段３０３内容が保持される（Ｓ７００２）。失敗していた場合には、失敗であった旨が端末出力手段３１２で出力される（Ｓ７００３）。なお、ここでの出力内容は、少なくとも自治体ゴミ分別情報の受信に失敗したという内容と入力済みの自治体特定情報の確認を勧める旨の情報を含み、ここでの出力手段は、画面表示や音声出力などによる方法が含まれる。また、この自治体ゴミ分別情報の取得は、商品分別情報読み取り手段３０４で商品分別情報を読み取り商品分別情報保持手段３０５に保持する毎に実行される場合や、毎日午前６：００など定期的に実行される場合、また自治体ゴミ分別情報が更新された際に実行される場合もある。
【００３２】
端末３が、ゴミ６から商品分別情報を読み取って保持するまでのフローチャートを図１４に示す。
【００３３】
商品分別情報読み取り手段３０４は、ゴミ６にあらかじめ取り付けられているタグ６０１の情報を読み取り（Ｓ８０００）、商品分別情報保持手段３０５でその内容を保持する（Ｓ８００１）。タグ６０１で保持する商品分別情報の内容例を図１５に示す。
【００３４】
回収容器５が、端末３に回収容器識別情報を送信するまでのフローチャートを図１６に示す。
【００３５】
回収容器通信手段５０２は、回収容器識別情報保持手段５０１が保持する回収容器識別情報を含むフレームを生成して（Ｓ９０００）、端末３に送信する（Ｓ９００１）。
【００３６】
端末３が、回収容器５から回収容器識別情報を受信して回収容器ゴミ分別情報の一覧に追記するまでのフローチャートを図１７に示す。
【００３７】
端末通信手段３０７は、回収容器５からの回収容器識別情報を受信し（Ｓ１００００）、回収容器識別情報追記手段３０８へ渡す（Ｓ１０００１）。ここで、回収容器識別情報追記手段３０８へ渡された回収容器識別情報が回収容器ゴミ分別情報一覧保持手段３０６に保持されているか否かで処理が分岐する（Ｓ１０００２）。回収容器ゴミ分別情報一覧保持手段３０６に保持されていない場合は、回収容器識別情報追記手段３０８に渡された回収容器識別情報を回収容器ゴミ分別情報一覧保持手段３０６に追記する（Ｓ１０００３）。回収容器ゴミ分別情報の一覧の内容例を図１８に示す。保持されている場合は、その旨を伝える出力を行う（Ｓ１０００４）。なお、ここでの出力内容は、少なくとも回収容器識別情報の内容とその内容が保持されている旨の情報を含み、ここでの出力手段は、画面表示や音声出力などによる方法が含まれる。
【００３８】
端末３で、回収容器５の名称を入力し、回収容器ゴミ分別情報一覧保持手段３０６に登録するまでのフローチャートを図１９に示す。
【００３９】
回収容器名称登録手段３０９は、回収容器ゴミ分別情報一覧保持手段３０６に保持されている回収容器識別情報と回収容器名称の情報の一覧を取得する（Ｓ１１０００）。ここで、回収容器識別情報と回収容器名称の情報の一覧が取得できたか否かで処理が分岐する（Ｓ１１００１）。回収容器識別情報と回収容器名称の情報が取得できた場合は、端末３の使用者は新規名称登録または名称変更したい回収容器５の名称を端末入力手段３０１により入力し（Ｓ１１００２）、入力した回収容器５の名称を回収容器名称登録手段３０９に渡し（Ｓ１１００３）、渡された回収容器名称を回収容器識別情報とともに回収容器ゴミ分別情報一覧保持手段３０６に登録する（Ｓ１１００４）。なお、ここでの入力手段は、キーボード入力、ボタン入力、タッチパネル入力、ペン入力、音声入力などの手段が含まれる。失敗であった場合には、失敗であった旨を伝える出力を行う（Ｓ１１００５）。なお、ここでの出力内容は、少なくとも回収容器識別情報が登録されてない旨の情報を含み、ここでの出力手段は、画面表示や音声出力などによる方法が含まれる。尚、回収容器名称は、回収容器識別情報に基づき自動的に作成されても良い。
【００４０】
端末３が、自治体ゴミ分別情報登録手段３１０で回収容器５に入れるゴミの分別情報の登録を開始し、ゴミ重量確認情報を回収容器５に送信するまでのフローチャートを図２０に示す。
【００４１】
自治体ゴミ分別情報登録手段３１０は、自治体ゴミ分別情報保持手段３０３から自治体ゴミ分別情報の一覧を取得する（Ｓ１２０００）。ここで、自治体ゴミ分別情報の一覧の取得の成否で処理が分岐する（Ｓ１２００１）。取得できた場合は、回収容器ゴミ分別情報一覧保持手段３０６に保持した回収容器ゴミ分別情報の一覧を取得する（Ｓ１２００２）。ここで、回収容器ゴミ分別情報の一覧に回収容器識別情報が登録されているか否かで処理が分岐する（Ｓ１２００３）。登録されている場合は、端末３の使用者がゴミの分別情報を登録する回収容器５を選択する（Ｓ１２００４）。端末通信手段３０７は、選択された回収容器５に入っているゴミの重量を確認するためのゴミ重量確認情報を含む送信フレームを生成し（Ｓ１２００５）、回収容器５へ送信する（Ｓ１２００６）。自治体ゴミ分別情報の一覧の取得に失敗、あるいは回収容器識別情報が登録されていない場合は、その旨を伝える出力を行う（Ｓ１２００７）。ここでの出力内容は、少なくとも自治体ゴミ分別情報の一覧の取得に失敗した旨の情報、あるいは回収容器識別情報が登録されていない旨の情報を含み、ここでの出力手段は、画面表示や音声出力などによる方法が含まれる。
【００４２】
回収容器５が、端末３からのゴミ重量確認情報を受信し、ゴミの重量の情報を端末３に送信するまでのフローチャートを図２１に示す。
【００４３】
回収容器通信手段５０２は、端末３からのゴミ重量確認情報を受信する（Ｓ１３０００）。ゴミ重量検知手段５０５は、具備する重量センサー５０４を使用して回収容器５に入っているゴミの重量を検知し（Ｓ１３００１）、検知したゴミの重量を回収容器通信手段５０２に渡す（Ｓ１３００２）。回収容器通信手段５０２は、受け取ったゴミの重量の情報を含む送信フレームを生成し（Ｓ１３００３）、端末３へ送信する（Ｓ１３００４）。
【００４４】
端末３が、ゴミの重量の情報を受信し、自治体ゴミ分別情報登録手段３１０での回収容器５に入れるゴミの分別情報の登録が完了するまでのフローチャートを図２２に示す。
【００４５】
端末通信手段３０７は、回収容器５からのゴミの重量の情報を受信し、自治体ゴミ分別情報登録手段３１０へ渡す（Ｓ１４０００）。ここで、受信したゴミの重量の情報によって処理が分岐する（Ｓ１４００１）。ゴミの重量の情報が回収容器５にゴミが存在しないことを示していれば、端末３の使用者は、回収容器５に入れるゴミの分別情報を取得した自治体ゴミ分別情報の一覧から選択し（Ｓ１４００２）、自治体ゴミ分別情報登録手段３１０で選択された自治体ゴミ分別情報を回収容器ゴミ分別情報一覧保持手段３０６に登録する（Ｓ１４００３）。ゴミの重量の情報が回収容器５にゴミが存在することを示していれば、その旨を伝える出力を行う（Ｓ１４００４）。なお、ここでの出力内容は、少なくとも回収容器５にゴミが存在し、回収容器５に入れるゴミの分別情報を変更することにより、分別方法の異なるゴミが混在し、正確な分別ができなくなる恐れのある旨の情報を含み、ここでの出力手段は、画面表示や音声出力などによる方法が含まれる。
【００４６】
端末３が、回収容器ゴミ分別情報を回収容器５に送信するまでのフローチャートを図２３に示す。
【００４７】
端末通信手段３０７は、回収容器ゴミ分別情報一覧保持手段３０６から回収容器ゴミ分別情報を受け取り（Ｓ１５０００）、回収容器ゴミ分別情報に含まれる回収容器５に回収容器ゴミ分別情報を送信するためのフレームを生成し（Ｓ１５００１）、回収容器５へ送信する（Ｓ１５００２）。
【００４８】
回収容器５が、端末３からの回収容器ゴミ分別情報を受信し、保持するまでのフローチャートを図２４に示す。
【００４９】
回収容器通信手段５０２は、端末３から送られてくる回収容器ゴミ分別情報を受信し（Ｓ１６０００）、回収容器ゴミ分別情報保持手段５０３で保持する（Ｓ１６００１）。
【００５０】
端末３が、廃棄する商品の分別方法を特定して出力するまでのフローチャートを図２５に示す。
【００５１】
廃棄商品分別情報特定手段３１１は、商品分別情報保持手段３０５が保持する商品分別情報を取得し（Ｓ１７０００）、さらに自治体ゴミ分別情報保持手段３０３が保持する自治体ゴミ分別情報を取得し（Ｓ１７００１）、商品分別情報と自治体ゴミ分別情報からゴミの分別方法を抽出する（Ｓ１７００２）。抽出の方法は、材質と形状が一致したものを選び出す。それらの情報で特定できないものに関しては、さらに大きさの情報を使用する。例えば図１３で示した自治体分別情報を持つ場合（自治体○○市）で、図１５に示した商品分別情報の分別方法を特定する場合、材質及び形状からでは資源ごみ（アルミ）であるか大型ゴミであるか特定できない。ここで大きさの情報を使用することにより、資源ごみ（アルミ）と特定できる。なお、図８に示すように図１５に示した商品分別情報の分別方法は自治体××市の場合は、資源ごみという分別は用いられておらず、燃えないゴミという分別となる。
【００５２】
さらに、抽出したゴミの分別方法での回収を指定されている回収容器５の情報を回収容器ゴミ分別情報一覧保持手段３０６から検索して抽出する（Ｓ１７００３）。ここで、回収容器５の情報の検索の成否で処理が分岐する（Ｓ１７００４）。抽出に成功した場合は、廃棄商品分別情報特定手段３１１において抽出したゴミ分別名称と回収容器５の情報と自治体ゴミ分別情報保持手段３０３で保持する内容を、端末出力手段３１２で出力する（Ｓ１７００５）。この出力内容は、少なくとも自治体ゴミ分別情報に含まれるゴミ分別名称と、回収容器５の情報と、次回の回収日情報または回収協力店（地図情報を含む）のいずれか、あるいは両方の情報を含み、その出力手段は、画面表示や音声出力などによる方法が含まれる。失敗した場合は、廃棄商品分別情報特定手段３１１において抽出したゴミ分別名称と、回収容器の情報の抽出に失敗した旨を含む内容と、自治体ゴミ分別情報保持手段３０３で保持する内容を、端末出力手段３１２で出力する（Ｓ１７００６）。この出力内容は、少なくとも自治体ゴミ分別情報に含まれるゴミ分別名称と、回収容器５の情報の抽出に失敗した旨を含む情報を含み、その出力手段は、画面表示や音声出力などによる方法が含まれる。
【００５３】
端末３が、ゴミの回収日に回収容器５を抽出し、出力するまでのフローチャートを図２６に示す。
【００５４】
回収容器抽出手段３１３は、ゴミの回収日にあたる回収容器５を回収容器ゴミ分別情報一覧保持手段３０６から抽出し（Ｓ１８０００）、抽出した回収容器５の情報を端末出力手段３１２に渡し（Ｓ１８００１）、端末出力手段３１２に出力する（Ｓ１８００２）。なお、ここでの出力内容は、少なくともゴミの回収日にあたる回収容器５全ての情報を含み、ここでの出力手段は、画面表示や音声出力などによる方法が含まれる。
【００５５】
（実施の形態２）
図２７は、本発明における実施の形態２の構成図である。図２７において、図１と同じ構成要素については同じ符号を用い説明を省略する。回収容器５は更に、ゴミ重量検知手段５０５で検知したゴミの重量と、回収容器ゴミ分別情報保持手段５０３で保持した回収容器ゴミ分別情報に含まれるポイントとゴミ重量の関係の情報とから、得られる分別ポイントを算出する分別ポイント算出手段５０６と、分別ポイント算出手段５０６で算出した分別ポイントと、算出の際に利用したゴミの重量などを出力する回収容器出力手段５０７を備え、端末３は更に、回収容器５が算出した分別ポイントを回収容器ゴミ分別情報一覧保持手段３０６に追記する分別ポイント追記手段３１４と、回収容器ゴミ分別情報一覧保持手段３０６に保持した分別ポイントを抽出しその合計値を算出する分別ポイント合計値算出手段３１５と、自治体ゴミ分別情報保持手段３０３から自治体が実施するサービス情報を抽出するサービス情報抽出手段３１６とを具備する。なお、分別ポイントとは、消費者が分別を行うことにより何らかのサービスを受けるためのポイントであり、各自治体が分別を推進するために何らかのサービスを提供する際に利用できるものである。
【００５６】
回収容器５が、具備する重量センサー５０４で回収容器５に入っているゴミの重量を検知し、分別ポイントを算出して出力するまでのフローチャートを図２８に示す。
【００５７】
ゴミ重量検知手段５０５は、具備する重量センサー５０４を使用して回収容器５に入っているゴミの重量を検知し（Ｓ１９０００）、検知したゴミの重量の情報を分別ポイント算出手段５０６に渡す（Ｓ１９００１）。分別ポイント算出手段５０６は、回収容器ゴミ分別情報保持手段５０３で保持した回収容器ゴミ分別情報を取得する（Ｓ１９００２）。ここで、回収容器ゴミ分別情報が取得できたか否かで処理が分岐する（Ｓ１９００３）。取得できた場合は、ゴミの重量の情報とから分別ポイントを算出する（Ｓ１９００４）。例えば、回収容器５が図１８で示す子ども部屋１でありゴミの重量が１キロであった時には、分別ポイントは２ポイントとなる。さらに、回収容器出力手段５０７は分別ポイント算出手段５０６で算出した分別ポイントを受け取り（Ｓ１９００５）、出力する（Ｓ１９００６）。回収容器ゴミ分別情報を取得に失敗した場合には、その旨を伝える出力を行う（Ｓ１９００７）。なお、ここでの出力内容は、少なくとも回収容器ゴミ分別情報の取得に失敗した旨の情報を含み、ここでの出力手段は、画面表示や音声出力などによる方法が含まれる。
【００５８】
回収容器５が、分別ポイントを端末３に送信するまでのフローチャートを図２９に示す。
【００５９】
回収容器通信手段５０２は、分別ポイント算出手段５０６から算出した分別ポイント受け取り（Ｓ２００００）、分別ポイントを含む送信フレームを生成し（Ｓ２０００１）、端末３へ送信する（Ｓ２０００２）。
【００６０】
端末３が、分別ポイントを受信し、回収容器ゴミ分別情報の一覧に追記するまでのフローチャートを図３０に示す。
【００６１】
端末通信手段３０７は、回収容器５からの分別ポイントを受信し（Ｓ２１０００）、回収容器５の情報と受信した分別ポイントを分別ポイント追記手段３１４へ渡す（Ｓ２１００１）。分別ポイント追記手段３１４は、回収容器ゴミ分別情報一覧保持手段３０６で保持した回収容器５の分別ポイントを上書きして、更新する（Ｓ２１００２）。ここでの回収容器ゴミ分別情報の一覧の内容例を図３１に示す。
【００６２】
端末３が、分別ポイントの合計値とサービスの情報を抽出して出力するまでのフローチャートを図３２に示す。
【００６３】
分別ポイント合計値算出手段３１５は、回収容器ゴミ分別情報一覧保持手段３０６から分別ポイントを抽出し（Ｓ２２０００）、抽出した分別ポイントの合計値を算出し（Ｓ２２００１）、端末出力手段３１２へ渡す（Ｓ２２００２）。サービス情報抽出手段３１６は、自治体ゴミ分別情報保持手段３０３から自治体ゴミ分別情報の一覧を取得し（Ｓ２２００３）、自治体が実施するサービス情報を抽出して（Ｓ２２００４）、端末出力手段３１２へ渡す（Ｓ２２００５）。端末出力手段３１２は、受け取った分別ポイントとサービス情報を出力する（Ｓ２２００６）。なお、ここでの出力内容は、少なくとも現在の分別ポイントと、現在の分別ポイントで受けられるサービスの内容の情報を含み、ここでの出力手段は、画面表示や音声出力などによる方法が含まれる。
【産業上の利用可能性】
【００６４】
本発明にかかるゴミ分別支援システムは、分別作業の負荷の低減が可能であり、また、分別精度の格段に向上させることが可能であるため、リサイクル可能な資源の再利用率の向上や、不十分な分別によるゴミ処理効率の低下や環境汚染の改善に非常に有用である。
【図面の簡単な説明】
【００６５】
【図１】本発明の実施の形態１の構成図
【図２】本発明の実施の形態１における、端末３で自治体特定情報を入力し保持するまでのフローチャート
【図３】本発明の実施の形態１における、自治体特定情報の内容例を示す図
【図４】本発明の実施の形態１における、端末３が、サーバ１に自治体特定情報を送信するまでのフローチャート
【図５】本発明の実施の形態１における、サーバ１が、端末３から自治体特定情報を受信し、抽出した自治体情報を保持するまでのフローチャート
【図６】本発明の実施の形態１における、自治体情報の一覧の内容例を示す図
【図７】本発明の実施の形態１における、サーバ１が、自治体情報から自治体指定分別情報を抽出し保持するまでのフローチャート
【図８】本発明の実施の形態１における、自治体指定分別情報の一覧の内容例を示す図
【図９】本発明の実施の形態１における、サーバ１が、自治体指定分別情報から回収協力店情報を抽出し自治体ゴミ分別情報作成手段に渡すまでのフローチャート
【図１０】本発明の実施の形態１における、回収協力店情報の一覧の内容例を示す図
【図１１】本発明の実施の形態１における、サーバ１が、自治体ゴミ分別情報を作成し、端末３に送信するまでのフローチャート
【図１２】本発明の実施の形態１における、端末３が、サーバ１から自治体ゴミ分別情報を受信し、保持するまでのフローチャート
【図１３】本発明の実施の形態１における、自治体ゴミ分別情報の内容例を示す図
【図１４】本発明の実施の形態１における、端末３が、ゴミ６から商品分別情報を読み取って保持するまでのフローチャート
【図１５】本発明の実施の形態１における、商品分別情報の内容例を示す図
【図１６】本発明の実施の形態１における、回収容器５が、回収容器識別情報を端末３に送信するまでのフローチャート
【図１７】本発明の実施の形態１における、端末３が、回収容器５から回収容器識別情報を受信して回収容器ゴミ分別情報の一覧に追記するまでのフローチャート
【図１８】本発明の実施の形態１における、回収容器ゴミ分別情報の一覧の内容例を示す図
【図１９】本発明の実施の形態１における、端末３で、回収容器５の名称を入力し登録するまでのフローチャート
【図２０】本発明の実施の形態１における、回収容器５に入れるゴミの分別情報の登録を開始し、ゴミ重量確認情報を回収容器５に送信するまでのフローチャート
【図２１】本発明の実施の形態１における、回収容器５が、端末３からのゴミ重量確認情報を受信し、ゴミの重量の情報を端末３に送信するまでのフローチャート
【図２２】本発明の実施の形態１における、端末３が、ゴミの重量の情報を受信し、回収容器５に入れるゴミの分別情報の登録が完了するまでのフローチャート
【図２３】本発明の実施の形態１における、端末３が、回収容器ゴミ分別情報を回収容器５に送信するまでのフローチャート
【図２４】本発明の実施の形態１における、回収容器５が、端末３からの回収容器ゴミ分別情報を受信し、保持するまでのフローチャート
【図２５】本発明の実施の形態１における、端末３が、廃棄する商品の分別方法を特定して出力するまでのフローチャート
【図２６】本発明の実施の形態１における、端末３が、回収容器５を抽出し、出力するまでのフローチャート
【図２７】本発明の実施の形態２の構成図
【図２８】本発明の実施の形態２における、回収容器５が、具備する重量センサーで回収容器５に入っているゴミの重量を検知し、分別ポイントを算出して出力するまでのフローチャート
【図２９】本発明の実施の形態２における、回収容器５が、分別ポイントを端末３に送信するまでのフローチャート
【図３０】本発明の実施の形態２における、端末３が、分別ポイントを受信し、回収容器ゴミ分別情報の一覧に追記するまでのフローチャート
【図３１】本発明の実施の形態２における、回収容器ゴミ分別情報の一覧の内容例を示す図
【図３２】本発明の実施の形態２における、端末３が、分別ポイントの合計値とサービスの情報を抽出して出力するまでのフローチャート
【符号の説明】
【００６６】
１    サーバ
２    ネットワーク
３    端末
４    ネットワーク
５    回収容器
６    ゴミ
１０１    自治体情報一覧保持手段
１０２    自治体指定分別情報一覧保持手段
１０３    回収協力店情報一覧保持手段
１０４    サーバ通信手段
１０５    自治体情報抽出手段
１０６    自治体情報保持手段
１０７    自治体指定分別情報抽出手段
１０８    自治体指定分別情報保持手段
１０９    回収協力店情報抽出手段
１１０    自治体ゴミ分別情報作成手段
３０１    端末入力手段
３０２    自治体特定情報保持手段
３０３    自治体ゴミ分別情報保持手段
３０４    商品分別情報読み取り手段
３０５    商品分別情報保持手段
３０６    回収容器ゴミ分別情報一覧保持手段
３０７    端末通信手段
３０８    回収容器識別情報追記手段
３０９    回収容器名称登録手段
３１０    自治体ゴミ分別情報登録手段
３１１    廃棄商品分別情報特定手段
３１２    端末出力手段
３１３    回収容器抽出手段
３１４    分別ポイント追記手段
３１５    分別ポイント合計値算出手段
３１６    サービス情報抽出手段
５０１    回収容器識別情報保持手段
５０２    回収容器通信手段
５０３    回収容器ゴミ分別情報保持手段
５０４    重量センサー
５０５    ゴミ重量検知手段
５０６    分別ポイント算出手段
５０７    回収容器出力手段
６０１    商品の分別情報が記述されているタグ
【図１】
2005173961.tif 000003
【図２】
2005173961.tif 000004
【図３】
2005173961.tif 000005
【図４】
2005173961.tif 000006
【図５】
2005173961.tif 000007
【図６】
2005173961.tif 000008
【図７】
2005173961.tif 000009
【図８】
2005173961.tif 000010
【図９】
2005173961.tif 000011
【図１０】
2005173961.tif 000012
【図１１】
2005173961.tif 000013
【図１２】
2005173961.tif 000014
【図１３】
2005173961.tif 000015
【図１４】
2005173961.tif 000016
【図１５】
2005173961.tif 000017
【図１６】
2005173961.tif 000018
【図１７】
2005173961.tif 000019
【図１８】
2005173961.tif 000020
【図１９】
2005173961.tif 000021
【図２０】
2005173961.tif 000022
【図２１】
2005173961.tif 000023
【図２２】
2005173961.tif 000024
【図２３】
2005173961.tif 000025
【図２４】
2005173961.tif 000026
【図２５】
2005173961.tif 000027
【図２６】
2005173961.tif 000028
【図２７】
2005173961.tif 000029
【図２８】
2005173961.tif 000030
【図２９】
2005173961.tif 000031
【図３０】
2005173961.tif 000032
【図３１】
2005173961.tif 000033
【図３２】
2005173961.tif 000034